【手続補正書】
【提出日】令和2年2月26日(2020.2.26)
【手続補正１】
【補正対象書類名】特許請求の範囲
【補正対象項目名】全文
【補正方法】変更
【補正の内容】
【特許請求の範囲】
【請求項１】
利用者の識別番号が記憶されている記録媒体から該識別番号を読み取る読取手段と、
前記読取手段によって読み取られた識別番号に基づいてユーザ認証を行い、ユーザ認証が成功した場合に、利用者による操作盤の入力操作を可能とする制御手段と
を備え、
前記制御手段は、利用者による入力が可能とされている認証状態において、認証中の識別番号と同一の識別番号が前記読取手段によって所定の期間継続して読み取られた場合に、前記認証状態を解除するとともに前記認証状態において入力された入力操作をキャンセルする機械式駐車システム。
【請求項２】
利用者の識別番号が記憶されている記録媒体から該識別番号を読み取る読取手段と、
前記読取手段によって読み取られた識別番号に基づいてユーザ認証を行い、ユーザ認証が成功した場合に、利用者による操作盤の入力操作を可能とする制御手段と
を備え、
前記制御手段は、利用者による入力が可能とされている認証状態において、認証中の識別番号とは異なる他の識別番号が前記読取手段によって所定期間継続して読み取られた場合に、現在の認証状態を他の前記識別番号の認証状態へ切り替える機械式駐車システム。
【請求項３】
前記入力操作は、機械装置への動作指示の入力、ユーザ認証に関する入力、及び安全確認に関する入力の少なくとも一つを含む請求項１または２に記載の機械式駐車システム。
【請求項４】
利用者の識別番号が記憶されている記録媒体から該識別番号を読み取る工程と、
読み取られた識別番号に基づいてユーザ認証を行い、ユーザ認証が成功した場合に、利用者による操作盤の入力操作を可能とする工程と、
利用者による入力が可能とされている認証状態において、認証中の識別番号と同一の識別番号が所定の期間継続して読み取られた場合に、前記認証状態を解除するとともに前記認証状態において入力された入力操作をキャンセルする工程と
を有する機械式駐車システムの制御方法。
【請求項５】
利用者の識別番号が記憶されている記録媒体から該識別番号を読み取る処理と、
読み取られた識別番号に基づいてユーザ認証を行い、ユーザ認証が成功した場合に、利用者による操作盤の入力操作を可能とする処理と、
利用者による入力が可能とされている認証状態において、認証中の識別番号と同一の識別番号が所定の期間継続して読み取られた場合に、前記認証状態を解除するとともに前記認証状態において入力された入力操作をキャンセルする処理と
をコンピュータに実行させるための機械式駐車システムの制御プログラム。
【請求項６】
利用者の識別番号が記憶されている記録媒体から該識別番号を読み取る工程と、
読み取られた識別番号に基づいてユーザ認証を行い、ユーザ認証が成功した場合に、利用者による操作盤の入力操作を可能とする工程と、
利用者による入力が可能とされている認証状態において、認証中の識別番号とは異なる他の識別番号が所定期間継続して読み取られた場合に、現在の認証状態を他の前記識別番号の認証状態へ切り替える工程と
を有する機械式駐車システムの制御方法。
【請求項７】
利用者の識別番号が記憶されている記録媒体から該識別番号を読み取る処理と、
読み取られた識別番号に基づいてユーザ認証を行い、ユーザ認証が成功した場合に、利用者による操作盤の入力操作を可能とする処理と、
利用者による入力が可能とされている認証状態において、認証中の識別番号とは異なる他の識別番号が所定期間継続して読み取られた場合に、現在の認証状態を他の前記識別番号の認証状態へ切り替える処理と
をコンピュータに実行させるための機械式駐車システムの制御プログラム。
【手続補正２】
【補正対象書類名】明細書
【補正対象項目名】発明の名称
【補正方法】変更
【補正の内容】
【発明の名称】機械式駐車システム及び機械式駐車システムの制御方法並びに制御プログラム
【手続補正３】
【補正対象書類名】明細書
【補正対象項目名】０００６
【補正方法】変更
【補正の内容】
【０００６】
上記課題を解決するために以下の手段を採用する。
本発明の参考例としての他の態様は、利用者の識別番号が記憶されているカードから該識別番号を読み取る読取手段と、前記読取手段によって読み取られた前記識別番号に基づく認証が成功した場合に、利用者による機械装置に対する動作指示の入力を受け付ける操作手段と、前記読取手段により前記識別番号を識別できる期間より長い第１所定期間に応じて、利用者の認証状態を制御するユーザ認証手段とを具備するカードリーダシステムである。
【手続補正４】
【補正対象書類名】明細書
【補正対象項目名】０００７
【補正方法】変更
【補正の内容】
【０００７】
上記構成によれば、読取手段により、利用者の識別番号が記憶されているカードから識別番号を読み取り、読取手段によって読み取られた識別番号に基づく認証が成功した場合に、利用者による機械装置に対する動作指示の入力が操作手段により受け付けられる。読取手段により識別番号を読み取られる所定期間は、読取手段により前記識別番号を識別できる期間より長い第１所定期間とし、該第１所定期間に応じて、利用者の認証状態が制御される。
【手続補正５】
【補正対象書類名】明細書
【補正対象項目名】０００８
【補正方法】変更
【補正の内容】
【０００８】
本発明の参考例としての他の態様は、読取手段により識別番号を読み取らせる期間が、識別番号を識別できる期間よりも長く設定されており、利用者が意図を持って、読取手段に対してカードの識別番号を第１所定期間確実に読み取らせ、これにより認証状態が制御される。そのため、カードを有した管理人が読取手段の付近を通過した程度の識別番号を識別可能な期間で意図せず認証が行われてしまうといった意図しない使い方で機械装置が誤作動することを防ぐことができる。
なお、第１所定期間とは、例えば、２００ミリ秒であり、利用者が意図を持って確実に読取手段に識別番号を読みとらせる期間である。
ここで、認証状態とは、例えば、認証及び認証解除を含む。
【手続補正６】
【補正対象書類名】明細書
【補正対象項目名】０００９
【補正方法】変更
【補正の内容】
【０００９】
本発明の参考例としての他の態様は、読取手段が、前記識別番号を読み取る期間を計時する計時手段を具備してもよい。
計時手段を設けることにより、第１所定期間、確実に識別番号の読み取りを行うことができる。
【手続補正７】
【補正対象書類名】明細書
【補正対象項目名】００１０
【補正方法】変更
【補正の内容】
【００１０】
本発明の参考例としての他の態様は、前記ユーザ認証手段は、既に前記識別番号を認証している期間において、認証中の前記識別番号を前記読取手段により前記識別番号を識別できる期間より長い第２所定期間計時した旨の情報を受信した場合に、認証中の前記識別番号を認証解除させてもよい。
これにより、ＩＣカードの認証解除を積極的に行うことができる。
機械装置によっては、安全性の面から機械装置を操作する管理人が決められているものの、公共の場に置かれ、機械装置を操作する係員以外の誰でもが触れることができてしまうものもある。そのような機械装置の操作途中に、管理人が一時的に操作盤の位置を離れなければならない場合に、認証解除するための所定期間、読取手段に識別番号を読み取らせることによって、所望のタイミングで確実に、かつ、簡便に認証を解除できる。
これにより、第３者が操作盤にアクセスする危険性を防ぎ、機械装置が意図しない操作で動作することを防ぐ。また、一度認証した後に無操作時間の経過を待って認証タイムアウトさせて認証解除するよりも、速やかに認証を解除することができる。
【手続補正８】
【補正対象書類名】明細書
【補正対象項目名】００１１
【補正方法】変更
【補正の内容】
【００１１】
本発明の参考例としての他の態様は、前記ユーザ認証手段は、既に前記識別番号を認証している期間において、認証中の前記識別番号とは異なる他の前記識別番号を前記第１所定期間より長い第３所定期間を計時した旨の情報を受信した場合に、既に認証している前記識別番号から前記他の前記識別番号に認証を交代させてもよい。
【手続補正９】
【補正対象書類名】明細書
【補正対象項目名】００１３
【補正方法】変更
【補正の内容】
【００１３】
本発明の参考例としての他の態様は、前記読取手段は、前記カードの識別情報の読取可能範囲が設定されており、前記カードの識別情報が、前記読取可能範囲外となった場合に、前記識別番号及び、前記計時手段による前記識別番号を読み取った期間の情報を出力してもよい。
【手続補正１０】
【補正対象書類名】明細書
【補正対象項目名】００１５
【補正方法】変更
【補正の内容】
【００１５】
本発明の参考例としての他の態様は、前記計時手段により、前記読取手段が前記識別番号を読み取った期間が、前記第１所定期間以上と検出された場合に、前記読取手段は読み取った前記識別番号の情報と、前記第１所定期間の情報を出力してもよい。
第１所定期間を経過したタイミングで、識別番号と第１所定期間の情報を出力することにより、所定期間に応じた制御を設定できる。
【手続補正１１】
【補正対象書類名】明細書
【補正対象項目名】００１６
【補正方法】変更
【補正の内容】
【００１６】
本発明の参考例としての他の態様は、前記読取手段において、前記カードの前記識別番号を読み取らせている期間において、前記計時手段により計時した前記識別番号の停滞時間と、検出した前記識別番号の情報とを複数回出力してもよい。
識別番号と停滞時間の情報を複数回出力することにより、確実に識別番号を認識させることができる。
【手続補正１２】
【補正対象書類名】明細書
【補正対象項目名】００１７
【補正方法】変更
【補正の内容】
【００１７】
本発明の参考例としての他の態様は、上記いずれかに記載のカードリーダシステムを具備し、前記機械装置は、格納庫との間で搬送される車両が入庫又は出庫する乗入室が設けられる機械式駐車装置とする機械式駐車システムである。
【手続補正１３】
【補正対象書類名】明細書
【補正対象項目名】００１８
【補正方法】変更
【補正の内容】
【００１８】
上記構成によれば、機械式駐車装置に設けられるカードリーダシステムは、読取手段により、利用者の識別番号が記憶されているカードから識別番号を読み取り、読取手段によって読み取られた識別番号に基づく認証が成功した場合に、利用者による機械式駐車装置の機械動作の指示の入力が操作手段により受け付けられる。読取手段により識別番号を読み取られた所定期間は、読取手段により識別番号を識別できる期間より長く、該所定期間に応じて、利用者の認証状態が制御される。
上記態様において、読取手段により識別番号を読み取らせる期間が、識別番号を識別できる期間よりも長く設定されており、利用者が意図を持って、読取手段に対してカードの識別番号を所定期間確実に読み取らせ、これにより認証状態が制御される。これにより、機械式駐車装置の係員が読取手段の付近を通過した程度の識別番号を識別可能な期間で意図せず認証が行われてしまうといった意図しない使い方で機械式駐車装置が誤作動することを防ぐことができる。また、第３者が機械式駐車装置を操作し、機械式駐車装置が意図しない操作で動作することを防ぐことができる。
【手続補正１４】
【補正対象書類名】明細書
【補正対象項目名】００１９
【補正方法】変更
【補正の内容】
【００１９】
本発明の参考例としての他の態様は、利用者の識別番号が記憶されているカードから該識別番号を読み取る第１工程と、読み取られた前記識別番号に基づく認証が成功した場合に、利用者による機械装置に対する動作指示の入力を受け付ける第２工程と、前記第１工程により前記識別番号を識別できる期間より長い第１所定期間に応じて、利用者の認証状態を制御する第３工程とを有するカードリーダシステムの制御方法である。
【手続補正１５】
【補正対象書類名】明細書
【補正対象項目名】００２０
【補正方法】変更
【補正の内容】
【００２０】
本発明の参考例としての他の態様は、利用者の識別番号が記憶されているカードから該識別番号を読み取る第１処理と、読み取られた前記識別番号に基づく認証が成功した場合に、利用者による前記機械装置の機械動作の指示の入力を受け付ける第２処理と、前記第１処理により、前記識別番号を識別できる期間より長い第１所定期間に応じて利用者の認証状態を制御する第３処理とを有するカードリーダシステムの制御プログラムである。
【手続補正１６】
【補正対象書類名】明細書
【補正対象項目名】００７３
【補正方法】変更
【補正の内容】
【００７３】
以上説明してきたように、本実施形態に係る機械式駐車装置１０及び機械式駐車装置の制御方法並びに制御プログラムによれば、ＩＣカードリーダ３０１により、管理者（利用者）の識別番号が記憶されているＩＣカード６０から識別番号を読み取り、ＩＣカードリーダ３０１によって読み取られた識別番号に基づく認証が成功した場合に、管理者による機械式駐車装置１０に対する動作指示の入力が操作画面制御部４２により受け付けられる。ＩＣカードリーダ３０１により識別番号を読み取られる第１所定期間、第２所定期間、及び第３所定期間は、ＩＣカードリーダ３０１により識別番号を識別できる期間より長く、各所定期間に応じて、利用者の認証状態が制御される。